【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
複雑な知識表現を生成する方法であって：
要求コンテキストを示す入力を受領する段階と；
プロセッサにより、少なくとも一つの要素的概念、少なくとも一つの要素的概念関係または少なくとも一つの要素的概念および少なくとも一つの要素的概念関係を表す要素的データ構造に、一つまたは複数の規則を適用する段階と；
前記一つまたは複数の規則の適用に基づいて、前記要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とを含む、
方法。
【請求項２】
前記適用する段階が、前記要求コンテキストを示す入力を受領したあとの時点において、前記一つまたは複数の規則の少なくとも一つを適用することを含む、請求項１記載の方法。
【請求項３】
ラベル、シンボルまたはラベルおよびシンボルを概念、概念関係または概念および概念関係に割り当てる段階をさらに含む、請求項１記載の方法。
【請求項４】
前記要素的データ構造が、少なくとも二つの要素的概念を結ぶ少なくとも一つの要素的概念関係を含み、前記少なくとも一つの要素的概念関係は、少なくとも一つの一対一関係、少なくとも一つの一対多関係および少なくとも一つの多対多関係からなる群より選択される少なくとも一つの関係を含む、請求項１記載の方法。
【請求項５】
前記要素的データ構造がテーブル構造を含む、請求項１記載の方法。
【請求項６】
前記テーブル構造が少なくとも第一の行を含み、前記第一の行は第一の対の概念の間の第一の関係を表す、請求項５記載の方法。
【請求項７】
前記テーブル構造が、前記第一の対の概念の間の第二の関係を表す第二の行を含む、請求項６記載の方法。
【請求項８】
合成する段階が、概念分析、ファセット分類合成、意味的合成および動的系統分類からなる群より選択される少なくとも一つの技法を適用することを含む、請求項１記載の方法。
【請求項９】
入力を受領する段階が、テキスト問い合わせ、検索語、シード概念および複雑なKR要求からなる群より選択される少なくとも一つの項目を受領することを含む、請求項１記載の方法。
【請求項１０】
前記複雑な知識表現を生成する段階が、１）所定数より少ない概念を生成するおよび２）シード概念から所定の階層的距離内の概念のみを生成する、からなる群より選択される少なくとも一つの動作を含む、請求項１記載の方法。
【請求項１１】
前記一つまたは複数の規則を含む規則の集合に対して、規則を追加すること、規則を削除することまたは規則を追加することおよび規則を削除することをさらに含む、請求項１記載の方法。
【請求項１２】
生成された複雑な知識表現をユーザーまたは操作者に対して出力する段階をさらに含む、請求項１記載の方法。
【請求項１３】
少なくとも部分的に、もとの知識表現を分解して、前記少なくとも一つの要素的概念を前記もとの知識表現の少なくとも一つのより複雑な概念から導出することによって、前記要素的データ構造を生成する段階をさらに含む、請求項１記載の方法。
【請求項１４】
前記要素的データ構造を生成する段階が、前記もとの知識表現に前記一つまたは複数の規則を適用することを含む、請求項１３記載の方法。
【請求項１５】
前記要素的データ構造を生成する段階が、前記もとの知識表現に一つまたは複数の異なる規則を適用することを含む、請求項１３記載の方法。
【請求項１６】
前記一つまたは複数の規則を前記一つまたは複数の異なる規則と一緒に記憶する段階をさらに含む、請求項１５記載の方法。
【請求項１７】
前記要素的データ構造を生成する段階が：
前記一つまたは複数の規則または一つまたは複数の異なる規則のどちらを適用するかを、前記もとの知識表現に基づいて選択する段階と；
選択された規則を適用して前記もとの知識表現を分解する段階とを含む、
請求項１３記載の方法。
【請求項１８】
前記要素的データ構造の意味的コヒーレンスを測定する段階をさらに含む、請求項１記載の方法。
【請求項１９】
意味的コヒーレンスを測定する段階が、用語‐文書頻度を決定することを含む、請求項１８記載の方法。
【請求項２０】
前記分解が、テキスト分析、統計的クラスタリング、言語学的分析、ファセット分析、自然言語処理および意味的知識ベースの使用からなる群より選択される少なくとも一つの技法を使うことを含む、請求項１３記載の方法。
【請求項２１】
前記少なくとも一つの要素的概念の曖昧さ解消をする段階をさらに含む、請求項１３記載の方法。
【請求項２２】
前記少なくとも一つの要素的概念が一つまたは複数の形態素を含む、請求項１記載の方法。
【請求項２３】
前記分解が、前記少なくとも一つのより複雑な概念を所定のレベルの要素性まで分解することを含む、請求項１３記載の方法。
【請求項２４】
もとの知識表現を分解する方法であって：
もとの知識表現に対応する入力を受領する段階と；
プロセッサにより一つまたは複数の規則を適用して前記もとの知識表現を一つまたは複数の要素的概念、一つまたは複数の要素的概念関係または一つまたは複数の要素的概念および一つまたは複数の要素的概念関係に分解する段階と；
前記要素的概念の少なくとも一つ、前記要素的概念関係の少なくとも一つまたは前記要素的概念の少なくとも一つおよび前記要素的概念関係の少なくとも一つの表現を要素的データ構造に含める段階とを含む、
方法。
【請求項２５】
前記要素的データ構造から新しい複雑な知識表現を合成する段階をさらに含む、請求項２４記載の方法。
【請求項２６】
要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とをさらに含む、
請求項２４記載の方法。
【請求項２７】
知識表現間の意味的相互運用性を支援する方法であって：
複数の入力知識表現のうちの各入力知識表現について、プロセッサにより一つまたは複数の規則を適用して前記入力知識表現を一つまたは複数の要素的概念、一つまたは複数の要素的概念関係または一つまたは複数の要素的概念および一つまたは複数の要素的概念関係に分解する段階と；
プロセッサにより、前記複数の入力知識表現のそれぞれについての前記要素的概念の少なくとも一つ、前記要素的概念関係の少なくとも一つまたは前記要素的概念の少なくとも一つおよび前記要素的概念関係の少なくとも一つの表現を、共有される要素的データ構造に含める段階とを含む、
方法。
【請求項２８】
複雑な知識表現を生成するシステムであって：
要求コンテキストを示す入力を受領する段階と；
少なくとも一つの要素的概念、少なくとも一つの要素的概念関係または少なくとも一つの要素的概念および少なくとも一つの要素的概念関係を表す要素的データ構造に、一つまたは複数の規則を適用する段階と；
前記一つまたは複数の規則の適用に基づいて、前記要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階と
を実行するよう適応されたプロセッサおよびメモリを有する、
システム。
【請求項２９】
もとの知識表現を分解するシステムであって：
もとの知識表現に対応する入力を受領する段階と；
一つまたは複数の規則を適用して前記もとの知識表現を一つまたは複数の要素的概念、一つまたは複数の要素的概念関係または一つまたは複数の要素的概念および一つまたは複数の要素的概念関係に分解する段階と；
前記要素的概念の少なくとも一つ、前記要素的概念関係の少なくとも一つまたは前記要素的概念の少なくとも一つおよび前記要素的概念関係の少なくとも一つの表現を要素的データ構造に含める段階と
を実行するよう適応されたプロセッサおよびメモリを有する、
システム。
【請求項３０】
知識表現間の意味的相互運用性を支援するシステムであって：
複数の入力知識表現のうちの各入力知識表現について、一つまたは複数の規則を適用して前記入力知識表現を一つまたは複数の要素的概念、一つまたは複数の要素的概念関係または一つまたは複数の要素的概念および一つまたは複数の要素的概念関係に分解する段階と；
前記複数の入力知識表現のそれぞれについての前記要素的概念の少なくとも一つ、前記要素的概念関係の少なくとも一つまたは前記要素的概念の少なくとも一つおよび前記要素的概念関係の少なくとも一つの表現を、共有される要素的データ構造に含める段階と
を実行するよう適応されたプロセッサおよびメモリを有する、
システム。
【請求項３１】
複雑な知識表現を生成するための複数のコンピュータ実行可能命令をエンコードされた少なくとも一つの非一時的コンピュータ可読記憶媒体であって、前記命令は、実行されたときに：
要求コンテキストを示す入力を受領する段階と；
少なくとも一つの要素的概念、少なくとも一つの要素的概念関係または少なくとも一つの要素的概念および少なくとも一つの要素的概念関係を表す要素的データ構造に、一つまたは複数の規則を適用する段階と；
前記一つまたは複数の規則の適用に基づいて、前記要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とを実行する、
少なくとも一つの非一時的コンピュータ可読記憶媒体。
【請求項３２】
もとの知識表現を分解するための複数のコンピュータ実行可能命令をエンコードされた少なくとも一つの非一時的コンピュータ可読記憶媒体であって、前記命令は、実行されたときに：
もとの知識表現に対応する入力を受領する段階と；
一つまたは複数の規則を適用して前記もとの知識表現を一つまたは複数の要素的概念、一つまたは複数の要素的概念関係または一つまたは複数の要素的概念および一つまたは複数の要素的概念関係に分解する段階と；
前記要素的概念の少なくとも一つ、前記要素的概念関係の少なくとも一つまたは前記要素的概念の少なくとも一つおよび前記要素的概念関係の少なくとも一つの表現を要素的データ構造に含める段階とを実行する、
少なくとも一つの非一時的コンピュータ可読記憶媒体。
【請求項３３】
知識表現間の意味的相互運用性を支援するための複数のコンピュータ実行可能命令をエンコードされた少なくとも一つの非一時的コンピュータ可読記憶媒体であって、前記命令は、実行されたときに：
複数の入力知識表現のうちの各入力知識表現について、一つまたは複数の規則を適用して前記入力知識表現を一つまたは複数の要素的概念、一つまたは複数の要素的概念関係または一つまたは複数の要素的概念および一つまたは複数の要素的概念関係に分解する段階と；
前記複数の入力知識表現のそれぞれについての前記要素的概念の少なくとも一つ、前記要素的概念関係の少なくとも一つまたは前記要素的概念の少なくとも一つおよび前記要素的概念関係の少なくとも一つの表現を、共有される要素的データ構造に含める段階とを含む、
少なくとも一つの非一時的コンピュータ可読記憶媒体。
【手続補正２】
【補正対象書類名】明細書
【補正対象項目名】０１６５
【補正方法】変更
【補正の内容】
【０１６５】
本発明のいくつかの実施形態を詳細に記載してきたが、さまざまな修正および改善が当業者にはすぐ思いつくであろう。よって、上記の記述は単に例であって、限定するものと意図されてはいない。
いくつかの態様を記載しておく。
〔態様１〕
複雑な知識表現を生成する方法であって：
要求コンテキストを示す入力を受領する段階と；
プロセッサにより、少なくとも一つの要素的概念、少なくとも一つの要素的概念関係または少なくとも一つの要素的概念および少なくとも一つの要素的概念関係を表す要素的データ構造に、一つまたは複数の規則を適用する段階と；
前記一つまたは複数の規則の適用に基づいて、前記要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とを含む、
方法。
〔態様２〕
前記適用する段階が、前記要求コンテキストを示す入力を受領したあとの時点において、前記一つまたは複数の規則の少なくとも一つを適用することを含む、態様１記載の方法。
〔態様３〕
ラベル、シンボルまたはラベルおよびシンボルを概念、概念関係または概念および概念関係に割り当てる段階をさらに含む、態様１記載の方法。
〔態様４〕
前記要素的データ構造が、少なくとも二つの要素的概念を結ぶ少なくとも一つの要素的概念関係を含み、前記少なくとも一つの要素的概念関係は、少なくとも一つの一対一関係、少なくとも一つの一対多関係および少なくとも一つの多対多関係からなる群より選択される少なくとも一つの関係を含む、態様１記載の方法。
〔態様５〕
前記要素的データ構造がテーブル構造を含む、態様１記載の方法。
〔態様６〕
前記テーブル構造が少なくとも第一の行を含み、前記第一の行は第一の対の概念の間の第一の関係を表す、態様５記載の方法。
〔態様７〕
前記テーブル構造が、前記第一の対の概念の間の第二の関係を表す第二の行を含む、態様６記載の方法。
〔態様８〕
合成する段階が、概念分析、ファセット分類合成、意味的合成および動的系統分類からなる群より選択される少なくとも一つの技法を適用することを含む、態様１記載の方法。
〔態様９〕
入力を受領する段階が、テキスト問い合わせ、検索語、シード概念および複雑なKR要求からなる群より選択される少なくとも一つの項目を受領することを含む、態様１記載の方法。
〔態様１０〕
前記複雑な知識表現を生成する段階が、１）所定数より少ない概念を生成するおよび２）シード概念から所定の階層的距離内の概念のみを生成する、からなる群より選択される少なくとも一つの動作を含む、態様１記載の方法。
〔態様１１〕
前記一つまたは複数の規則を含む規則の集合に対して、規則を追加すること、規則を削除することまたは規則を追加することおよび規則を削除することをさらに含む、態様１記載の方法。
〔態様１２〕
生成された複雑な知識表現をユーザーまたは操作者に対して出力する段階をさらに含む、態様１記載の方法。
〔態様１３〕
少なくとも部分的に、もとの知識表現を分解して、前記少なくとも一つの要素的概念を前記もとの知識表現の少なくとも一つのより複雑な概念から導出することによって、前記要素的データ構造を生成する段階をさらに含む、態様１記載の方法。
〔態様１４〕
前記要素的データ構造を生成する段階が、前記もとの知識表現に前記一つまたは複数の規則を適用することを含む、態様１３記載の方法。
〔態様１５〕
前記要素的データ構造を生成する段階が、前記もとの知識表現に一つまたは複数の異なる規則を適用することを含む、態様１３記載の方法。
〔態様１６〕
前記一つまたは複数の規則を前記一つまたは複数の異なる規則と一緒に記憶する段階をさらに含む、態様１５記載の方法。
〔態様１７〕
前記要素的データ構造を生成する段階が：
前記一つまたは複数の規則または一つまたは複数の異なる規則のどちらを適用するかを、前記もとの知識表現に基づいて選択する段階と；
選択された規則を適用して前記もとの知識表現を分解する段階とを含む、
態様１３記載の方法。
〔態様１８〕
前記要素的データ構造の意味的コヒーレンスを測定する段階をさらに含む、態様１記載の方法。
〔態様１９〕
意味的コヒーレンスを測定する段階が、用語‐文書頻度を決定することを含む、態様１８記載の方法。
〔態様２０〕
前記分解が、テキスト分析、統計的クラスタリング、言語学的分析、ファセット分析、自然言語処理および意味的知識ベースの使用からなる群より選択される少なくとも一つの技法を使うことを含む、態様１３記載の方法。
〔態様２１〕
前記少なくとも一つの要素的概念の曖昧さ解消をする段階をさらに含む、態様１３記載の方法。
〔態様２２〕
前記少なくとも一つの要素的概念が一つまたは複数の形態素を含む、態様１記載の方法。
〔態様２３〕
前記分解が、前記少なくとも一つのより複雑な概念を所定のレベルの要素性まで分解することを含む、態様１３記載の方法。
〔態様２４〕
もとの知識表現を分解する方法であって：
もとの知識表現に対応する入力を受領する段階と；
プロセッサにより一つまたは複数の規則を適用して前記もとの知識表現を一つまたは複数の要素的概念、一つまたは複数の要素的概念関係または一つまたは複数の要素的概念および一つまたは複数の要素的概念関係に分解する段階と；
前記要素的概念の少なくとも一つ、前記要素的概念関係の少なくとも一つまたは前記要素的概念の少なくとも一つおよび前記要素的概念関係の少なくとも一つの表現を要素的データ構造に含める段階とを含む、
方法。
〔態様２５〕
前記要素的データ構造から新しい複雑な知識表現を合成する段階をさらに含む、態様２４記載の方法。
〔態様２６〕
要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とをさらに含む、
態様２４記載の方法。
〔態様２７〕
前記複雑な知識表現を生成する段階が、前記要素的データ構造に前記一つまたは複数の規則を適用することを含む、態様２６記載の方法。
〔態様２８〕
前記複雑な知識表現を生成する段階が、前記要素的データ構造に一つまたは複数の異なる規則を適用することを含む、態様２６記載の方法。
〔態様２９〕
前記一つまたは複数の規則を前記一つまたは複数の異なる規則と一緒に記憶する段階をさらに含む、態様２８記載の方法。
〔態様３０〕
もとの知識表現に基づいて前記一つまたは複数の規則を選択する段階をさらに含む、態様２４記載の方法。
〔態様３１〕
前記要素的データ構造の意味的コヒーレンスを測定する段階をさらに含む、態様２４記載の方法。
〔態様３２〕
意味的コヒーレンスを測定する段階が、用語‐文書頻度を決定することを含む、態様３１記載の方法。
〔態様３３〕
前記もとの知識表現を分解するために、テキスト分析、統計的クラスタリング、言語学的分析、ファセット分析、自然言語処理および意味的知識ベースの使用からなる群より選択される少なくとも一つの技法を適用する段階をさらに含む、態様２４記載の方法。
〔態様３４〕
前記要素的概念の曖昧さ解消をする段階をさらに含む、態様２４記載の方法。
〔態様３５〕
前記要素的概念が形態素を含む、態様２４記載の方法。
〔態様３６〕
前記一つまたは複数の規則を適用することが、前記もとの知識表現を所定のレベルの要素性まで分解することを含む、態様２４記載の方法。
〔態様３７〕
知識表現間の意味的相互運用性を支援する方法であって：
複数の入力知識表現のうちの各入力知識表現について、プロセッサにより一つまたは複数の規則を適用して前記入力知識表現を一つまたは複数の要素的概念、一つまたは複数の要素的概念関係または一つまたは複数の要素的概念および一つまたは複数の要素的概念関係に分解する段階と；
プロセッサにより、前記複数の入力知識表現のそれぞれについての前記要素的概念の少なくとも一つ、前記要素的概念関係の少なくとも一つまたは前記要素的概念の少なくとも一つおよび前記要素的概念関係の少なくとも一つの表現を、共有される要素的データ構造に含める段階とを含む、
方法。
〔態様３８〕
複雑な知識表現を生成するシステムであって：
要求コンテキストを示す入力を受領する段階と；
少なくとも一つの要素的概念、少なくとも一つの要素的概念関係または少なくとも一つの要素的概念および少なくとも一つの要素的概念関係を表す要素的データ構造に、一つまたは複数の規則を適用する段階と；
前記一つまたは複数の規則の適用に基づいて、前記要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階と
を実行するよう適応されたプロセッサおよびメモリを有する、
システム。
〔態様３９〕
前記適用する段階が、前記要求コンテキストを示す入力を受領したあとの時点において、前記一つまたは複数の規則の少なくとも一つを適用することを含む、態様３８記載のシステム。
〔態様４０〕
ラベル、シンボルまたはラベルおよびシンボルを概念、概念関係または概念および概念関係に割り当てるようさらに適応されている、態様３８記載のシステム。
〔態様４１〕
前記要素的データ構造が、少なくとも二つの要素的概念を結ぶ少なくとも一つの要素的概念関係を含み、前記少なくとも一つの要素的概念関係は、少なくとも一つの一対一関係、少なくとも一つの一対多関係および少なくとも一つの多対多関係からなる群より選択される少なくとも一つの関係を含む、態様３８記載のシステム。
〔態様４２〕
前記要素的データ構造がテーブル構造を含む、態様３８記載のシステム。
〔態様４３〕
前記テーブル構造が少なくとも第一の行を含み、前記第一の行は第一の対の概念の間の第一の関係を表す、態様４２記載のシステム。
〔態様４４〕
前記テーブル構造が、前記第一の対の概念の間の第二の関係を表す第二の行を含む、態様４３記載のシステム。
〔態様４５〕
前記合成する段階が、概念分析、ファセット分類合成、意味的合成および動的系統分類からなる群より選択される少なくとも一つの技法を適用することを含む、態様３８記載のシステム。
〔態様４６〕
前記入力を受領する段階が、テキスト問い合わせ、検索語、シード概念および複雑なKR要求からなる群より選択される少なくとも一つの項目を受領することを含む、態様３８記載のシステム。
〔態様４７〕
前記複雑な知識表現を生成する段階が、１）所定数より少ない概念を生成するおよび２）シード概念から所定の階層的距離内の概念のみを生成する、からなる群より選択される少なくとも一つの動作を含む、態様３８記載のシステム。
〔態様４８〕
前記一つまたは複数の規則を含む規則の集合に対して、規則を追加すること、規則を削除することまたは規則を追加することおよび規則を削除することをさらに含む、態様３８記載のシステム。
〔態様４９〕
生成された複雑な知識表現をユーザーまたは操作者に対して出力するようさらに適応されている、態様３８記載のシステム。
〔態様５０〕
少なくとも部分的に、もとの知識表現を分解して、前記少なくとも一つの要素的概念を前記もとの知識表現の少なくとも一つのより複雑な概念から導出することによって、前記要素的データ構造を生成するようさらに適応されている、態様３８記載のシステム。
〔態様５１〕
前記要素的データ構造を生成する段階が、前記もとの知識表現に前記一つまたは複数の規則を適用することを含む、態様５０記載のシステム。
〔態様５２〕
前記要素的データ構造を生成する段階が、前記もとの知識表現に一つまたは複数の異なる規則を適用することを含む、態様５０記載のシステム。
〔態様５３〕
前記一つまたは複数の規則を前記一つまたは複数の異なる規則と一緒に記憶するようさらに適応されている、態様５２記載のシステム。
〔態様５４〕
前記要素的データ構造を生成する段階が：
前記一つまたは複数の規則または一つまたは複数の異なる規則のどちらを適用するかを、前記もとの知識表現に基づいて選択する段階と；
選択された規則を適用して前記もとの知識表現を分解する段階とを含む、
態様５０記載のシステム。
〔態様５５〕
前記要素的データ構造の意味的コヒーレンスを測定するようさらに適応されている、態様３８記載のシステム。
〔態様５６〕
意味的コヒーレンスを測定する段階が、用語‐文書頻度を決定することを含む、態様５５記載のシステム。
〔態様５７〕
前記分解が、テキスト分析、統計的クラスタリング、言語学的分析、ファセット分析、自然言語処理および意味的知識ベースの使用からなる群より選択される少なくとも一つの技法を使うことを含む、態様５０記載のシステム。
〔態様５８〕
前記少なくとも一つの要素的概念の曖昧さ解消をするようさらに適応されている、態様５０記載のシステム。
〔態様５９〕
前記少なくとも一つの要素的概念が形態素を含む、態様３８記載のシステム。
〔態様６０〕
前記分解が、前記少なくとも一つのより複雑な概念を所定のレベルの要素性まで分解することを含む、態様５０記載のシステム。
〔態様６１〕
もとの知識表現を分解するシステムであって：
もとの知識表現に対応する入力を受領する段階と；
一つまたは複数の規則を適用して前記もとの知識表現を一つまたは複数の要素的概念、一つまたは複数の要素的概念関係または一つまたは複数の要素的概念および一つまたは複数の要素的概念関係に分解する段階と；
前記要素的概念の少なくとも一つ、前記要素的概念関係の少なくとも一つまたは前記要素的概念の少なくとも一つおよび前記要素的概念関係の少なくとも一つの表現を要素的データ構造に含める段階と
を実行するよう適応されたプロセッサおよびメモリを有する、
システム。
〔態様６２〕
前記要素的データ構造から新しい複雑な知識表現を合成するようさらに適応されている、態様６１記載のシステム。
〔態様６３〕
要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とを実行するようさらに適応されている、
態様６１記載のシステム。
〔態様６４〕
前記複雑な知識表現を生成する段階が、前記要素的データ構造に前記一つまたは複数の規則を適用することを含む、態様６３記載のシステム。
〔態様６５〕
前記複雑な知識表現を生成する段階が、前記要素的データ構造に一つまたは複数の異なる規則を適用することを含む、態様６３記載のシステム。
〔態様６６〕
前記一つまたは複数の規則を前記一つまたは複数の異なる規則と一緒に記憶するようさらに適応されている、態様６５記載のシステム。
〔態様６７〕
もとの知識表現に基づいて前記一つまたは複数の規則を選択するようさらに適応されている、態様６１記載のシステム。
〔態様６８〕
前記要素的データ構造の意味的コヒーレンスを測定するようさらに適応されている、態様６１記載のシステム。
〔態様６９〕
意味的コヒーレンスを測定する段階が、用語‐文書頻度を決定することを含む、態様６８記載のシステム。
〔態様７０〕
前記もとの知識表現を分解するために、テキスト分析、統計的クラスタリング、言語学的分析、ファセット分析、自然言語処理および意味的知識ベースの使用からなる群より選択される少なくとも一つの技法を適用するようさらに適応されている、態様６１記載のシステム。
〔態様７１〕
前記要素的概念の曖昧さ解消をするようさらに適応されている、態様６１記載のシステム。
〔態様７２〕
前記要素的概念が形態素を含む、態様６１記載のシステム。
〔態様７３〕
前記一つまたは複数の規則を適用することが、前記もとの知識表現を所定のレベルの要素性まで分解することを含む、態様６１記載のシステム。
〔態様７４〕
知識表現間の意味的相互運用性を支援するシステムであって：
複数の入力知識表現のうちの各入力知識表現について、一つまたは複数の規則を適用して前記入力知識表現を一つまたは複数の要素的概念、一つまたは複数の要素的概念関係または一つまたは複数の要素的概念および一つまたは複数の要素的概念関係に分解する段階と；
前記複数の入力知識表現のそれぞれについての前記要素的概念の少なくとも一つ、前記要素的概念関係の少なくとも一つまたは前記要素的概念の少なくとも一つおよび前記要素的概念関係の少なくとも一つの表現を、共有される要素的データ構造に含める段階と
を実行するよう適応されたプロセッサおよびメモリを有する、
システム。
〔態様７５〕
複雑な知識表現を生成するための複数のコンピュータ実行可能命令をエンコードされた少なくとも一つの非一時的コンピュータ可読記憶媒体であって、前記命令は、実行されたときに：
要求コンテキストを示す入力を受領する段階と；
少なくとも一つの要素的概念、少なくとも一つの要素的概念関係または少なくとも一つの要素的概念および少なくとも一つの要素的概念関係を表す要素的データ構造に、一つまたは複数の規則を適用する段階と；
前記一つまたは複数の規則の適用に基づいて、前記要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とを実行する、
少なくとも一つの非一時的コンピュータ可読記憶媒体。
〔態様７６〕
前記適用する段階が、前記要求コンテキストを示す入力を受領したあとの時点において、前記一つまたは複数の規則の少なくとも一つを適用することを含む、態様７５記載の少なくとも一つの非一時的コンピュータ可読記憶媒体。
〔態様７７〕
前記命令が、実行されたときに、ラベル、シンボルまたはラベルおよびシンボルを概念、概念関係または概念および概念関係に割り当てることを実行する、態様７５記載の少なくとも一つの非一時的コンピュータ可読記憶媒体。
〔態様７８〕
前記要素的データ構造が、少なくとも二つの要素的概念を結ぶ少なくとも一つの要素的概念関係を含み、前記少なくとも一つの要素的概念関係は、少なくとも一つの一対一関係、少なくとも一つの一対多関係および少なくとも一つの多対多関係からなる群より選択される少なくとも一つの関係を含む、態様７５記載の少なくとも一つの非一時的コンピュータ可読記憶媒体。
〔態様７９〕
前記要素的データ構造がテーブル構造を含む、態様７５記載の少なくとも一つの非一時的コンピュータ可読記憶媒体。
〔態様８０〕
前記テーブル構造が少なくとも第一の行を含み、前記第一の行は第一の対の概念の間の第一の関係を表す、態様７９記載の少なくとも一つの非一時的コンピュータ可読記憶媒体。
〔態様８１〕
前記テーブル構造が、前記第一の対の概念の間の第二の関係を表す第二の行を含む、態様８０記載の少なくとも一つの非一時的コンピュータ可読記憶媒体。
〔態様８２〕
前記合成する段階が、概念分析、ファセット分類合成、意味的合成および動的系統分類からなる群より選択される少なくとも一つの技法を適用することを含む、態様７５記載の少なくとも一つの非一時的コンピュータ可読記憶媒体。
〔態様８３〕
入力を受領する段階が、テキスト問い合わせ、検索語、シード概念および複雑なKR要求からなる群より選択される少なくとも一つの項目を受領することを含む、態様７５記載の少なくとも一つの非一時的コンピュータ可読記憶媒体。
〔態様８４〕
前記複雑な知識表現を生成する段階が、１）所定数より少ない概念を生成するおよび２）シード概念から所定の階層的距離内の概念のみを生成する、からなる群より選択される少なくとも一つの動作を含む、態様７５記載の少なくとも一つの非一時的コンピュータ可読記憶媒体。
〔態様８５〕
前記命令が、実行されたときに、前記一つまたは複数の規則を含む規則の集合に対して、規則を追加すること、規則を削除することまたは規則を追加することおよび規則を削除することをさらに実行する、態様７５記載の少なくとも一つの非一時的コンピュータ可読記憶媒体。
〔態様８６〕
前記命令が、実行されたときに、生成された複雑な知識表現をユーザーまたは操作者に対して出力する段階をさらに含む、態様７５記載の少なくとも一つの非一時的コンピュータ可読記憶媒体。
〔態様８７〕
前記命令が、実行されたときに、少なくとも部分的に、もとの知識表現を分解して、前記少なくとも一つの要素的概念を前記もとの知識表現の少なくとも一つのより複雑な概念から導出することによって、前記要素的データ構造を生成する段階をさらに実行する、態様７５記載の少なくとも一つの非一時的コンピュータ可読記憶媒体。
〔態様８８〕
前記要素的データ構造を生成する段階が、前記もとの知識表現に前記一つまたは複数の規則を適用することを含む、態様８７記載の少なくとも一つの非一時的コンピュータ可読記憶媒体。
〔態様８９〕
前記要素的データ構造を生成する段階が、前記もとの知識表現に一つまたは複数の異なる規則を適用することを含む、態様８７記載の少なくとも一つの非一時的コンピュータ可読記憶媒体。
〔態様９０〕
前記命令が、実行されたときに、前記一つまたは複数の規則を前記一つまたは複数の異なる規則と一緒に記憶する段階をさらに実行する、態様８９記載の少なくとも一つの非一時的コンピュータ可読記憶媒体。
〔態様９１〕
前記要素的データ構造を生成する段階が：
前記一つまたは複数の規則または一つまたは複数の異なる規則のどちらを適用するかを、前記もとの知識表現に基づいて選択する段階と；
選択された規則を適用して前記もとの知識表現を分解する段階とを含む、
態様８７記載の少なくとも一つの非一時的コンピュータ可読記憶媒体。
〔態様９２〕
前記命令が、実行されたときに、前記要素的データ構造の意味的コヒーレンスを測定する段階をさらに実行する、態様７５記載の少なくとも一つの非一時的コンピュータ可読記憶媒体。
〔態様９３〕
意味的コヒーレンスを測定する段階が、用語‐文書頻度を決定することを含む、態様９２記載の少なくとも一つの非一時的コンピュータ可読記憶媒体。
〔態様９４〕
前記分解が、テキスト分析、統計的クラスタリング、言語学的分析、ファセット分析、自然言語処理および意味的知識ベースの使用からなる群より選択される少なくとも一つの技法を使うことを含む、態様８７記載の少なくとも一つの非一時的コンピュータ可読記憶媒体。
〔態様９５〕
前記命令が、実行されたときに、前記少なくとも一つの要素的概念の曖昧さ解消をする段階をさらに実行する、態様８７記載の少なくとも一つの非一時的コンピュータ可読記憶媒体。
〔態様９６〕
前記少なくとも一つの要素的概念が形態素を含む、態様７５記載の少なくとも一つの非一時的コンピュータ可読記憶媒体。
〔態様９７〕
前記分解が、前記少なくとも一つのより複雑な概念を所定のレベルの要素性まで分解することを含む、態様８７記載の少なくとも一つの非一時的コンピュータ可読記憶媒体。
〔態様９８〕
もとの知識表現を分解するための複数のコンピュータ実行可能命令をエンコードされた少なくとも一つの非一時的コンピュータ可読記憶媒体であって、前記命令は、実行されたときに：
もとの知識表現に対応する入力を受領する段階と；
一つまたは複数の規則を適用して前記もとの知識表現を一つまたは複数の要素的概念、一つまたは複数の要素的概念関係または一つまたは複数の要素的概念および一つまたは複数の要素的概念関係に分解する段階と；
前記要素的概念の少なくとも一つ、前記要素的概念関係の少なくとも一つまたは前記要素的概念の少なくとも一つおよび前記要素的概念関係の少なくとも一つの表現を要素的データ構造に含める段階とを実行する、
少なくとも一つの非一時的コンピュータ可読記憶媒体。
〔態様９９〕
前記命令が、実行されたときに、前記要素的データ構造から新しい複雑な知識表現を合成する段階をさらに実行する、態様９８記載の少なくとも一つの非一時的コンピュータ可読記憶媒体。
〔態様１００〕
前記命令が、実行されたときに：
要求コンテキストに従って、一つまたは複数の追加的概念、一つまたは複数の追加的概念関係または一つまたは複数の追加的概念および一つまたは複数の追加的概念関係を合成する段階と；
前記追加的概念の少なくとも一つ、前記追加的概念関係の少なくとも一つまたは前記追加的概念の少なくとも一つおよび前記追加的概念関係の少なくとも一つを使って、前記要求コンテキストに従って複雑な知識表現を生成する段階とをさらに実行する、
態様９８記載の少なくとも一つの非一時的コンピュータ可読記憶媒体。
〔態様１０１〕
前記複雑な知識表現を生成する段階が、前記要素的データ構造に前記一つまたは複数の規則を適用することを含む、態様１００記載の少なくとも一つの非一時的コンピュータ可読記憶媒体。
〔態様１０２〕
前記複雑な知識表現を生成する段階が、前記要素的データ構造に一つまたは複数の異なる規則を適用することを含む、態様１００記載の少なくとも一つの非一時的コンピュータ可読記憶媒体。
〔態様１０３〕
前記命令が、実行されたときに、前記一つまたは複数の規則を前記一つまたは複数の異なる規則と一緒に記憶する段階をさらに実行する、態様１０２記載の少なくとも一つの非一時的コンピュータ可読記憶媒体。
〔態様１０４〕
前記命令が、実行されたときに、もとの知識表現に基づいて前記一つまたは複数の規則を選択する段階をさらに実行する、態様９８記載の少なくとも一つの非一時的コンピュータ可読記憶媒体。
〔態様１０５〕
前記命令が、実行されたときに、前記要素的データ構造の意味的コヒーレンスを測定する段階をさらに実行する、態様９８記載の少なくとも一つの非一時的コンピュータ可読記憶媒体。
〔態様１０６〕
意味的コヒーレンスを測定する段階が、用語‐文書頻度を決定することを含む、態様１０５記載の少なくとも一つの非一時的コンピュータ可読記憶媒体。
〔態様１０７〕
前記命令が、実行されたときに、前記もとの知識表現を分解するために、テキスト分析、統計的クラスタリング、言語学的分析、ファセット分析、自然言語処理および意味的知識ベースの使用からなる群より選択される少なくとも一つの技法を適用する段階をさらに実行する、態様９８記載の少なくとも一つの非一時的コンピュータ可読記憶媒体。
〔態様１０８〕
前記命令が、実行されたときに、前記要素的概念の曖昧さ解消をする段階をさらに実行する、態様９８記載の少なくとも一つの非一時的コンピュータ可読記憶媒体。
〔態様１０９〕
前記要素的概念が形態素を含む、態様９８記載の少なくとも一つの非一時的コンピュータ可読記憶媒体。
〔態様１１０〕
前記一つまたは複数の規則を適用することが、前記もとの知識表現を所定のレベルの要素性まで分解することを含む、態様９８記載の少なくとも一つの非一時的コンピュータ可読記憶媒体。
〔態様１１１〕
知識表現間の意味的相互運用性を支援するための複数のコンピュータ実行可能命令をエンコードされた少なくとも一つの非一時的コンピュータ可読記憶媒体であって、前記命令は、実行されたときに：
複数の入力知識表現のうちの各入力知識表現について、一つまたは複数の規則を適用して前記入力知識表現を一つまたは複数の要素的概念、一つまたは複数の要素的概念関係または一つまたは複数の要素的概念および一つまたは複数の要素的概念関係に分解する段階と；
前記複数の入力知識表現のそれぞれについての前記要素的概念の少なくとも一つ、前記要素的概念関係の少なくとも一つまたは前記要素的概念の少なくとも一つおよび前記要素的概念関係の少なくとも一つの表現を、共有される要素的データ構造に含める段階とを含む、
少なくとも一つの非一時的コンピュータ可読記憶媒体。